【手続補正書】
【提出日】平成15年12月16日(2003.12.16)
【手続補正１】
【補正対象書類名】明細書
【補正対象項目名】０１３５
【補正方法】変更
【補正の内容】
【０１３５】
また、本実施の形態では、虚像までの距離と、その大きさを、画像に対応して変化させるようにしたが、その他、例えば、虚像が形成される方向も、画像に対応して変化させることが可能である。これは、例えば、図１０に示すように、表示パネル１２に画像を表示する領域（同図において、斜線を付してある部分）の位置を、表示制御部４４により変化させるようにすることによって実現することができる。


【手続補正２】
【補正対象書類名】明細書
【補正対象項目名】０１３７
【補正方法】変更
【補正の内容】
【０１３７】
具体的には、例えば、本発明を、ＨＭＤ（Head Mounted Display）に適用した場合において、料理番組の虚像を観賞しながら、実際に料理を行うときには、虚像が形成される方向を、中央から、左上、右上、左下、または右下などに変化させることにより、ユーザは、虚像であるレシピなどを見ながら、正面方向において、確実に作業をすることが可能となる。即ち、虚像を、正面方向（中央）から移動させることによって、正面方向の視界が良くなり、安全、確実に作業をすることが可能となる。


【手続補正３】
【補正対象書類名】明細書
【補正対象項目名】０１５１
【補正方法】変更
【補正の内容】
【０１５１】
これに対し、上述の第１および第２の実施の形態においては、通常のバックライトからの光の透過量を、例えば、液晶ライトバルブ（Light Valve）などの表示パネル１２Ｌおよび１２Ｒにおいて変えることにより画像が表示されるようになされている。


【手続補正４】
【補正対象書類名】明細書
【補正対象項目名】０１８０
【補正方法】変更
【補正の内容】
【０１８０】
ミラーカバー８４に設けられた反射ミラー９３は、ミラーカバー８４が閉じた状態で、筐体８１の正面と平行になるように取り付けられているが、その反射ミラー９３の、筐体８１の内部側には、ＢＳ（ビームスプリッタ）９４が設けられており、さらに、ＢＳ９４を挟んで、反射ミラー９３と対向する位置には、表示パネル９５が設けられている。また、ＢＳ９４の上部には、ディフューザ９６、ダイクロイックミラー９７、および赤色、緑色、または青色の光をそれぞれ発する発光ダイオード９８Ｒ，９８Ｇ，９８Ｂが設けられている。


【手続補正５】
【補正対象書類名】明細書
【補正対象項目名】０１８４
【補正方法】変更
【補正の内容】
【０１８４】
その後、ミラーカバー８４が開くことによって、反射ミラー８３が、筐体８１の正面と形成する角度が４５度程度になると、レンズスライドピン９１が、スライド溝９２Ｌおよび９２Ｒの上部方向の端に到達し、これにより、レンズホルダ８９に保持されたレンズ９０の光軸が、反射ミラー９３の反射面と形成する角度が４５度程度になる状態で、ミラーカバー８４がロックされる。


【手続補正６】
【補正対象書類名】明細書
【補正対象項目名】０１８８
【補正方法】変更
【補正の内容】
【０１８８】
発光ダイオード９８Ｒ，９８Ｇ，９８Ｂが発する光は、いずれも、ダイクロイックミラー９７およびディフューザ９６を介して、ＢＳ９４に入射する。ＢＳ９４では、ディフューザ９６を介して入射する光が、９０度反射され、表示パネル９５に照射される。表示パネル９５では、そこに入射する光が、表示すべき画像信号にしたがって反射され、その反射光は、ＢＳ９４を介して、反射ミラー９３に入射する。反射ミラー９３では、表示パネル９５から、ＢＳ９４を介して照射される反射光としての画像が、９０度反射され、接眼レンズ９０を介して、ユーザの眼球に入射する。これにより、ユーザの眼球においては、表示パネル９５で表示された画像に対応する虚像が観察される。


【手続補正７】
【補正対象書類名】明細書
【補正対象項目名】０１９５
【補正方法】変更
【補正の内容】
【０１９５】
コントローラ１３５には、ユーザに提示すべき画像信号（カラーの画像信号）ＶＳが供給されるようになされており、そこでは、その画像信号ＶＳに対応して、ＬＥＤ（発光ダイオード）駆動回路１３４Ｒ、１３４Ｇ，１３４Ｂ、映像信号処理回路１６６、およびライトバルブ駆動回路１６８が制御されるようになされている。映像信号処理回路１６６にも、ユーザに提示すべき画像信号ＶＳが供給されるようになされており、そこでは、その画像信号ＶＳから、その赤色、緑色、または青色の成分にそれぞれ相当する赤色画像、緑色画像、または青色画像が生成されるようになされている。映像信号処理回路１６６において生成された赤色画像、緑色画像、および青色画像は、いずれも画像メモリ１６７に供給されて記憶されるようになされている。ライトバルブ駆動回路１６８は、コントローラ１３５の制御の下、画像メモリ１６７の記憶値に基づいて、表示パネル９５を制御（駆動）するようになされている。ＬＥＤ駆動回路１３４Ｒ，１３４Ｇ，１３４Ｂは、コントローラ１３５の制御にしたがって、発光ダイオード（ＬＥＤ）９８Ｒ，９８Ｇ，９８Ｂをそれぞれ駆動するようになされている。


【手続補正８】
【補正対象書類名】明細書
【補正対象項目名】０１９９
【補正方法】変更
【補正の内容】
【０１９９】
一方、コントローラ１３５は、表示パネル９５において、赤色画像、緑色画像、青色画像がそれぞれ表示されるタイミングに同期して、発光ダイオード９８Ｒ，９８Ｇ，９８Ｂが順次点灯するように、ＬＥＤ駆動回路１３４Ｒ，１３４Ｇ，１３４Ｂをそれぞれ制御する。その結果、図２５（Ａ）乃至図２５（Ｃ）に示したように、表示パネル９５が赤色画像、緑色画像、青色画像を表示するタイミングにおいて、発光ダイオード９８Ｒ，９８Ｇ，９８Ｂがそれぞれ点灯し、赤色、緑色、青色の光が、表示パネル９５に照射される。


【手続補正９】
【補正対象書類名】明細書
【補正対象項目名】０２０１
【補正方法】変更
【補正の内容】
【０２０１】
なお、表示パネル９５として、カラーの反射型画像表示パネルを利用する場合においては、赤色、緑色、青色の光をそれぞれ発する３つの発光ダイオード９８Ｒ，９８Ｇ，９８Ｂは必要なく、白色光を発する１のダイオードや、１の蛍光表示管、その他の１の光源だけで足りる。また、カラー画像の表示方法は、上述したような手法に限定されるものではない。


【手続補正１０】
【補正対象書類名】明細書
【補正対象項目名】０２０４
【補正方法】変更
【補正の内容】
【０２０４】
信号切替コントローラ２０４は、モデム２０２またはターミナルアダプタ２０３が、外部から受信した信号を、中央演算処理装置２０５に出力し、また、中央演算処理装置２０５から受信した信号を、モデム２０２またはターミナルアダプタ２０３に出力するようになされている。中央演算処理装置２０５は、ＲＯＭ（Read Only Memory）２０７に記憶されたＯＳ（Operating System）の制御の下、同じくＲＯＭ２０７に記憶されている各種のアプリケーションプログラムにしたがって、各種の処理を行うとともに、信号切替コントローラ２０４や、ＲＡＭ（Random Access Memory）２０６、映像表示部コントローラ２０９を制御するようになされている。ＲＡＭ２０６は、中央演算処理装置２０５の動作上必要なデータなどを一時記憶するようになされている。ＲＯＭ２０７は、ＯＳやアプリケーションプログラムなどを記憶している。フレームメモリ２０８は、図２４の画像メモリ１６７に相当するもので、ユーザに提示すべき画像を一時記憶するようになされている。映像表示部コントローラ２０９は、図２４のＬＥＤ駆動回路１３４Ｒ，１３４Ｇ，１３４Ｂ、コントローラ１３５、映像信号処理回路１６６、およびライトバルブ駆動回路１６８に相当する。映像表示部２１０は、図２４の表示パネル９５、発光ダイオード９８Ｒ，９８Ｇ、および９８Ｂに相当する。


【手続補正１１】
【補正対象書類名】図面
【補正対象項目名】図１８
【補正方法】変更
【補正の内容】
【図１８】
1998222093.tif 000001
【手続補正１２】
【補正対象書類名】図面
【補正対象項目名】図１９
【補正方法】変更
【補正の内容】
【図１９】
1998222093.tif 000002
【手続補正１３】
【補正対象書類名】図面
【補正対象項目名】図２０
【補正方法】変更
【補正の内容】
【図２０】
1998222093.tif 000003
【手続補正１４】
【補正対象書類名】図面
【補正対象項目名】図２１
【補正方法】変更
【補正の内容】
【図２１】
1998222093.tif 000004
【手続補正１５】
【補正対象書類名】図面
【補正対象項目名】図２２
【補正方法】変更
【補正の内容】
【図２２】
1998222093.tif 000005
【手続補正１６】
【補正対象書類名】図面
【補正対象項目名】図２３
【補正方法】変更
【補正の内容】
【図２３】
1998222093.tif 000006